(57)【要約】【課題】  様々な要求・要望に応え得る多種多様の彩色が容易且つ安価に施された組み立てキットを提供する。【解決手段】  ユーザが組み立てて完成態様を得るべく、複数のパーツを備えてなる組み立てキットであって、前記各パーツ２、３ａ、３ｂ及び４の表面に印刷により彩色が施されている。印刷はインクジェットプリンタを用いるが、前記各パーツは、彩色が施されている表面が順テーパ状で外方に突出する形状となるように成形されてなるため、各パーツの全ての表面に対して容易に印刷が可能である。【選択図】  図４
2008043441.tif 000002
【特許請求の範囲】
【請求項１】
ユーザが組み立てて完成態様を得るべく、複数のパーツを備えてなる組み立てキットであって、
前記複数のパーツのうちの少なくとも１つの表面に印刷により彩色が施されていることを特徴とする組み立てキット。
【請求項２】
全ての前記パーツに、それぞれ前記彩色が施されていることを特徴とする請求項１に記載の組み立てキット。
【請求項３】
前記各パーツは、白色又は透明無色のいずれかの下地材料に前記彩色が施されていることを特徴とする請求項１又は２に記載の組み立てキット。
【請求項４】
前記各パーツがそれぞれ取り外し可能に一体成形されてなるプラスチックモデルであることを特徴とする請求項１〜３のいずれか１項に記載の組み立てキット。
【請求項５】
前記各パーツは、前記彩色が施されている前記表面が順テーパ状で外方に突出する形状となるように成形されてなることを特徴とする請求項１〜４のいずれか１項に記載の組み立てキット。
【請求項６】
前記彩色は、インクジェット法で印刷されることを特徴とする請求項１〜５のいずれか１項に記載の組み立てキット。
【請求項７】
ユーザが組み立てて完成態様を得るべく、複数のパーツを備えてなる組み立てキットの製造方法であって、
下地材料の表面に印刷より彩色を施し、前記各パーツを形成することを特徴とする組み立てキットの製造方法。
【請求項８】
全ての前記下地材料に、それぞれ前記彩色を施すことを特徴とする請求項７に記載の組み立てキットの製造方法。
【請求項９】
前記下地材料は、白色又は透明無色のいずれかの材料であることを特徴とする請求項７又は８に記載の組み立てキットの製造方法。
【請求項１０】
前記パーツがそれぞれ取り外し可能に一体成形されてなるプラスチックモデルであることを特徴とする請求項７〜９のいずれか１項に記載の組み立てキットの製造方法。
【請求項１１】
前記下地材料は、その表面が順テーパ状で外方に突出する形状となるように成形されてなることを特徴とする請求項７〜１０のいずれか１項に記載の組み立てキットの製造方法。
【請求項１２】
前記印刷をインクジェット法で行うことを特徴とする請求項７〜１１のいずれか１項に記載の組み立てキットの製造方法。
【請求項１３】
ユーザが組み立てて完成態様を得るべく、複数のパーツを備えてなる組み立てキットの情報を提供する組み立てキット情報提供装置であって、
ネットワークを介して接続されたユーザ端末装置に提供する画面に表示する前記組み立てキットの情報を格納する情報格納手段と、
前記情報格納手段に格納された前記組み立てキットの情報を用いて、前記組み立てキットの完成態様の形状の一部又は全部を表示する画像表示領域と、前記画像表示領域に表示された前記組み立てキットの完成態様の形状の一部又は全部に対して彩色を設定する彩色設定領域と、を含む画面をネットワークを介して接続されたユーザ端末装置に提供する画面提供手段と、
前記画面提供手段において提供した前記画面を用いてユーザによって彩色の設定をされた前記組み立てキットの彩色に係るユーザ設定情報を前記ユーザ端末装置より受信するユーザ設定情報受信手段と、
前記ユーザ設定情報受信手段において受信した前記ユーザ設定情報を含む印刷情報を印刷装置に出力し、印刷を要求する印刷情報出力手段と、を有することを特徴とする組み立てキット情報提供装置。
【発明の詳細な説明】
【技術分野】
【０００１】
本発明は、例えばプラスチックモデル等の組み立てキット、組み立てキットの製造方法及び組み立てキット情報提供装置に関する。
【背景技術】
【０００２】
ユーザが組み立てて完成態様を得る、複数のパーツを備えてなる組み立てキットは一般に親しまれている。組み立てキットの代表的なものには、例えばプラスチックモデル（以下、プラモデルと称す）がある。
【０００３】
プラモデルは、ユーザの好みや製造の煩雑性を鑑みて、通常、その各パーツには着色がされていない状態で製品化されている。そのため、ユーザは自らプラモデルの各パーツに所望の彩色を施すのが一般的である。
【発明の開示】
【発明が解決しようとする課題】
【０００４】
しかしながら、ユーザが自ら彩色を行う場合には、ユーザの望むものに近づけるには相当な技術が必要となる。しかもこの場合、彩色に要する塗料や各種の彩色用具のような比較的高価なものが必要となる。
【０００５】
本発明は係る実情に鑑みて、様々な要求・要望に応え得る多種多様の彩色が容易且つ安価に施された組み立てキット、その製造方法、及びその情報提供装置を提供することを目的とする。
【課題を解決するための手段】
【０００６】
本発明の組み立てキットは、ユーザが組み立てて完成態様を得るべく、複数のパーツを備えてなる組み立てキットであって、前記複数のパーツのうちの少なくとも１つの表面に印刷により彩色が施されていることを特徴とする。
また、本発明の組み立てキットの製造方法は、ユーザが組み立てて完成態様を得るべく、複数のパーツを備えてなる組み立てキットの製造方法であって、下地材料の表面に印刷より彩色を施し、前記各パーツを形成することを特徴とする。
また、本発明の組み立てキット情報提供装置は、ユーザが組み立てて完成態様を得るべく、複数のパーツを備えてなる組み立てキットの情報を提供する組み立てキット情報提供装置であって、ネットワークを介して接続されたユーザ端末装置に提供する画面に表示する前記組み立てキットの情報を格納する情報格納手段と、前記情報格納手段に格納された前記組み立てキットの情報を用いて、前記組み立てキットの完成態様の形状の一部又は全部を表示する画像表示領域と、前記画像表示領域に表示された前記組み立てキットの完成態様の形状の一部又は全部に対して彩色を設定する彩色設定領域と、を含む画面をネットワークを介して接続されたユーザ端末装置に提供する画面提供手段と、前記画面提供手段において提供した前記画面を用いてユーザによって彩色の設定をされた前記組み立てキットの彩色に係るユーザ設定情報を前記ユーザ端末装置より受信するユーザ設定情報受信手段と、前記ユーザ設定情報受信手段において受信した前記ユーザ設定情報を含む印刷情報を印刷装置に出力し、印刷を要求する印刷情報出力手段と、を有することを特徴とする。
【発明の効果】
【０００７】
本発明によれば、様々な要求・要望に応え得る多種多様の彩色が容易且つ安価に施された組み立てキットを実現することが可能となる。
【発明を実施するための最良の形態】
【０００８】
以下、図面を参照しながら本発明の実施形態に係るプラスチックモデル（以下、プラモデルと称す）ついて説明する。なお、図１〜図６を用いて本発明の実施形態に係るプラモデルが製造される過程を説明し、図７に彩色が施されて完成したプラモデルを示す。
【０００９】
図１は後述するプラモデルに彩色が施される前の下地材料１の平面図であり、図２は側面断面図である。詳細には、下地材料１はユーザが組み立てて完成態様を得るためのプラモデルに彩色を施す前の下地となるもので、複数のパーツを備えるようにして射出成形等で成形される。なお、本実施形態において、下地材料１は略矩形の枠体１ａから複数に分岐した枝体１ｂを介して複数のパーツを備えるように一体成形される。
【００１０】
なお、本実施形態において、彩色とは、色彩、模様、文字又はそれらの結合をいう。
【００１１】
下地材料１は彩色塗料の発色性を良好のものとするために白色又は透明無色のいずれかのプラスチック成形原料を用いて成形することが好ましい。
【００１２】
２、３ａ、３ｂ及び４は、下地材料１の備えた彩色が施される前のパーツであり、枠体１ａから枝体１ｂを介して連結されている。ユーザは、これらパーツを例えばニッパ等の工具を用いて枝体１ｂから取り外すことができ、取り外したパーツをそれぞれ所定のパターンに沿って組み付けることにより例えば自動車や飛行機等の模型の完成態様を得ることができる。
【００１３】
図２の側面断面図に示すように、パーツ２、３ａ、３ｂ及び４はそれぞれ表面を外方（ここでは、上方）に向けるようにして成形されている。即ち、本実施形態に係るパーツは、全てその表面が順テーパ状で外方に突出する形状となるように成形されている。
【００１４】
なお、本実施形態において、順テーパ状の形状とは、枠体１ａに対して垂直となる形状のもの及びオーバーハング状（逆テーパ状）となる形状のものを除外して、枠体１ａから外方に向けて先細となるような形状を意味する。なお、パーツ２のように外方に突出した後、平面（Ａ）が形成されているものや、パーツ４のように半球状に外方に突出したものも含むものとする。また、ここで例示したパーツに関して、図示のようにパーツ２、３ａ及び３ｂを殻状、即ちパーツ内部にプラスチック成形原料を充填せずに成形し、パーツ４を半球体状、即ちパーツ内部にプラスチック成形原料を充填して成形しているが、パーツ４を殻状、即ち球殻状に形成してよいし、プラスチック成形原料をブロック状に成形してパーツ２、３ａ及び３ｂを形成してもよい。
【００１５】
次に、上記のように成形された下地材料１のパーツに、例えば図３に示すインクジェットプリンタ５を用いて印刷を行う。以下、その詳細について説明する。
【００１６】
図３において、５は下地材料１のパーツにインクジェット法を用いた印刷により彩色を施すためのインクジェットプリンタである。インクジェットプリンタ５は、紙等の薄く形成された印刷対象物の他、厚みを有するものに対しても印刷可能で、例えばプラスチック、ガラス又は金属等で形成された厚みを有する印刷対象物や凹凸形状を有する印刷対象物等に対してノズルから直接インクを噴射することで印刷することが可能である。
【００１７】
６はインクジェットプリンタ５の動作を制御し、また印刷したい模様や色彩及び印刷対象物の形状をインプットして設定することが可能なコンピュータである。インクジェットプリンタ５は、コンピュータ６に接続され、その動作が制御される。詳細には、後述のインクを噴射するためのノズル１０をその内部に備えた可動部７を長手方向（図中、矢印）に移動させるとともに、内部のノズル１０を幅方向に移動するように制御されて、インクジェットプリンタ本体８の上部側に設けられた設置部９に設置された印刷対象物に対して印刷を行う。
【００１８】
次に、図４を用いて、下地材料１のパーツに対するインクジェットプリンタ５の印刷動作について説明する。図４において、１０はインク１１を噴射するノズルである。ノズル１０は可動部７の移動速度や印刷対象物の幅に応じ、インクジェットプリンタ５の幅方向に移動しながら、設置部９に設置された下地材料１の各パーツに対してインク１１を噴射して順次印刷を行う。
【００１９】
インクジェットプリンタ５による印刷の際、パーツ２等は上述したようにその表面が順テーパ状で外方に突出する形状、即ちその全ての表面をノズル１０側に向けられて成形されているため、ノズル１０から直進方向（ここでは、下方）に噴射されるインク１１が直接噴射され、コンピュータ６で設定された模様や色彩等が好適に印刷される。これにより、下地材料１に備えられた複数のパーツに対し、印刷によって容易に彩色を施すことが可能となる。ここで、１１ａは、各パーツの表面に塗布された状態のインクを示す。
【００２０】
ここで、パーツの一例として、パーツ３ａ及び３ｂについて図５を用いて説明する。図５（ａ）に示すようにパーツ３ａ及び３ｂはそれぞれ組み付けられて中空の角柱を形成するパーツである。
【００２１】
従来であれば、パーツの配置の効率や成形の容易さ等を考慮して、パーツ３ａ及び３ｂに相当するパーツについて１パーツで成形したり、容易な形状となるように、例えば図５（ｂ）に示すようなパーツ３ｃ及び３ｄとして分けて成形したりしていた。しかしながら、パーツ３ｃのように成形されたパーツにインクジェットプリンタ５を用いて印刷を行おうとした場合、図６に示すように、パーツ３ｃのノズル１０の噴射方向と平行に位置する面Ｂ及びＣ（即ち枠体１ａに対して垂直に位置する面）については、インク１１を直接噴射することができないため、印刷が不可能である。
【００２２】
そこで、本発明においては、上述したように全てのパーツの表面に対して、確実に印刷を行うことができるようにするため、下地材料１が備えたパーツ全てを上記順テーパ状で外方に突出した形状となるように成形している。
【００２３】
以上のように複数のパーツに印刷が施された下地材料１は、図７に示すような各パーツに見合った所望の彩色が施されたプラモデル１２となる。図７に示すような彩色は一例に過ぎないが、インクジェットプリンタ５を利用してコンピュータ６で印刷したい模様や色彩を設定することができるため、多種多様な彩色を施すことが可能であり、例えば画像データをコンピュータ６にインプットさえすれば、エアブラシを用いて塗装したようなものや、写真画像についても高精細でパーツに印刷を行うことができる。
【００２４】
また、印刷を行うことで彩色が施されるため、工程は煩雑となることなく、安価且つ容易に彩色が施されたプラモデルの提供が可能となる。
【００２５】
なお、本実施形態におけるパーツ２等の形状は一例に過ぎず、これら限定されるものでないことは言うまでもない。パーツの形状と印刷の対象となる面又は部位の形状を考慮して適宜設計して金型を制作すれば、一部又は全てが順テーパ状で外方に突出した形状のパーツを備えた組み立てキットを成形することができる。
【００２６】
以下、上記で説明したプラモデル１２のような組み立てキットをインターネットを介して提供するシステムの一例について説明する。
【００２７】
上記で説明したように、本発明の彩色が施された組み立てキットは、インクジェットプリンタ５で印刷を行うことで実現される。
【００２８】
インクジェットプリンタ５のようなプラスチック、ガラス又は金属等で形成された厚みを有する印刷対象物や凹凸形状を有する印刷対象物等に対しても印刷可能なプリンタを製造者が有し、インターネットを介してユーザ側の多様な彩色の好みの情報を把握が可能となれば、ユーザの多様な好みに対応した組み立てキットを効率よく提供することができる。
【００２９】
図８は、組み立てキットの提供システム（以下、提供システムと略す）のシステム構成の一例を示す図である。図８に示されるように、提供システムは、ネットワーク８１を介して、組み立てキット情報提供装置８２と、印刷装置８３と、複数のユーザ端末８４と、が接続されている。
【００３０】
図９は、組み立てキット情報提供装置８２のハードウェア構成の一例を示す図である。図８に示されるように、組み立てキット情報提供装置８２は、ハードウェア構成として、入力装置９１と、表示装置９２と、記憶媒体ドライブ装置９３と、ＲＯＭ（Ｒｅａｄ  Ｏｎｌｙ  Ｍｅｍｏｒｙ）９５と、ＲＡＭ（Ｒａｎｄｏｍ  Ａｃｃｅｓｓ  Ｍｅｍｏｒｙ）９６と、ＣＰＵ（Ｃｅｎｔｒａｌ  Ｐｒｏｃｅｓｓｉｎｇ  Ｕｎｉｔ）９７と、インタフェース装置９８と、ＨＤ（Ｈａｒｄ  Ｄｉｓｋ）９９と、を含む。
【００３１】
入力装置９１は、組み立てキット情報提供装置８２の操作者、即ち製造者が操作するキーボード及びマウス等で構成され、組み立てキット情報提供装置８２に製造者の販売する組み立てキットの情報等を入力するのに用いられる。表示装置９２は、該製造者が利用するディスプレイ等で構成され、各種情報（又は画面）等を表示するのに用いられる。
【００３２】
インタフェース装置９８は、組み立てキット情報提供装置８２をネットワーク等に接続するインタフェースである。
後述する組み立てキット情報提供装置８２の機能等に係るプログラムは、例えば、ＣＤ−ＲＯＭ等の記憶媒体９４によって組み立てキット情報提供装置８２に提供されるか、ネットワーク等を通じてダウンロードされる。記憶媒体９４は、記憶媒体ドライブ装置９３にセットされ、プログラムが記憶媒体９４から記憶媒体ドライブ装置９３を介してＨＤ９９にインストールされる。なお、プログラムは、始めからＨＤ９９等にインストールされていてもよい。
【００３３】
ＲＯＭ９５は、組み立てキット情報提供装置８２の電源投入時に最初に読み込まれるプログラム等を記録する。ＲＡＭ９６は、組み立てキット情報提供装置８２のメインメモリである。ＣＰＵ９７は、必要に応じて、ＨＤ９９よりプログラムを読み出して、ＲＡＭ９６に格納し、プログラムを実行する。
【００３４】
なお、ユーザ端末８４のハードウェア構成は図９で説明したものの構成と同様である。また、印刷装置８３は、上記説明したインクジェットプリンタ５とし、それが有するコンピュータ６も図９で説明したものと同様の構成であり、組み立てキット情報提供装置８２と通信可能である。
【００３５】
以下、組み立てキット情報提供装置８２のＲＯＭ９５、ＲＡＭ９６、ＣＰＵ９７及びＨＤ９９等から構成される組み立てキット情報提供装置８２の機能構成の一例を図１０に示す。図１０は、組み立てキット情報提供装置８２の一例の機能構成図である。
【００３６】
図１０に示されるように、組み立てキット情報提供装置８２は、機能構成として、Ｗｅｂページ提供部１０１（画面提供手段）と、情報格納部１０２と、ユーザ設定情報受信部１０３と、印刷情報出力部１０４と、を含む。
【００３７】
Ｗｅｂページ提供部１０１は、ユーザ端末８４からの要求に応じて、例えば、後述する図１１（ａ）に示されるようなＷｅｂページ（又は画面）を、ユーザ端末８４に提供する。
【００３８】
情報格納部１０２は、Ｗｅｂページ提供部１０１が例えばインターネット上に公開するＷｅｂページに用いる情報、より具体的には、組み立てキットの画像等を格納している。なお、Ｗｅｂページ提供部１０１は、ユーザの操作に応じて、情報格納部１０２から適宜組み立てキットの画像等を呼び出して、上述したようなＷｅｂページをユーザ端末８４に提供する。
【００３９】
ユーザ設定情報受信部１０３は、ユーザの設定情報を受信する。より詳細な説明は後述するが、Ｗｅｂページ提供手段１０１が提供するＷｅｂページには、ユーザがユーザ端末８４を介してＷｅｂページ上で組み立てキットに対して各種設定が可能な画像表示領域が含まれており、ユーザ設定情報受信部１０３は、そのＷｅｂページにおいてユーザが設定したユーザ設定情報を受信する。
【００４０】
印刷情報出力部１０４は、ユーザ設定情報受信部１０３が受信したユーザ設定情報を含む印刷情報（印刷ジョブ）を印刷装置８３に出力する。
【００４１】
図１１（ａ）にＷｅｂページ提供部１０１がインターネット上に公開するＷｅｂページの一例を示す。Ｗｅｂページ１１０は、当該Ｗｅｂページ１１０上に表示された組み立てキットに対してユーザがユーザ端末８４を介して彩色を施す、即ち、彩色の設定を行うことが可能なＷｅｂページの一例である。
【００４２】
Ｗｅｂページ１１０において、製品番号１１１は、ユーザに指定された組み立てキットの型式番号を示す。表示領域１１２には組み立てキットの完成態様に彩色の施されていない状態、即ち、組み立てキットの完成態様の形状のみの斜視画像（全体画像）が表示されている。
【００４３】
また、上記の組み立てキットの完成態様の形状の斜視画像に対応するように、表示領域１１３には対応する正面画像、表示領域１１４には対応する右側面画像、表示領域１１５には対応する左側面画像、表示領域１１６には対応する背面画像、表示領域１１７には対応する上面画像がそれぞれ表示されている。ユーザはこれら組み立てキットの完成態様の形状の特定部位が表示された表示領域１１３〜１１７を、ユーザ端末８４を介して選択することで、彩色を施す部位を選択することができる。
【００４４】
カラープルダウンメニュー１１８、パターンプルダウンメニュー１１９及びフリーハンドツールボックス１２０はそれぞれＷｅｂページ１１０上の所定領域に表示された組み立てキットに対して彩色を施すためのツールである。
【００４５】
カラープルダウンメニュー１１８は、例えば赤、青、黄等の色を組み立てキットの特定部位に対して色を付すためのツールである。ユーザが、ユーザ端末８４を用いてカラープルダウンメニュー１１８内の「▽」の表示のされたボタンを押下することで複数種類の色が表示され、これを基に色を選択して設定することができる。
【００４６】
パターンプルダウンメニュー１１９は、例えばストライプ、迷彩柄等の模様のパターンを組み立てキットの特定部位に対して模様を付すためのツールである。ユーザが、ユーザ端末８４を用いて上述したのと同様に、パターンプルダウンメニュー１１９内の「▽」の表示のされたボタンを押下することで複数種類の模様が表示され、これを基に模様を選択して設定することができる。
【００４７】
フリーハンドツールボックス１２０は、組み立てキットの特定部位に対して、手書きで描画を行ったり、テキストを挿入したりするツールである。
【００４８】
ユーザはＷｅｂページ１１０を用いて組み立てキットに対して彩色を施す際、まず表示領域１１３〜１１７の少なくともいずれか１つを選択して彩色を施す特定部位を選択する。次に、Ｗｅｂページ１１０上に配されたカラープルダウンメニュー１１８、パターンプルダウンメニュー１１９及びフリーハンドツールボックス１２０を操作して前記選択した特定部位に対して任意の彩色を施すように設定する。
【００４９】
ユーザが設定した彩色に係る情報は、Ｗｅｂページ１１０の所定領域に表示された送信アイコン１２１を押下されることでユーザ設定情報受信部１０３に図１１（ｂ）で示すようなデータテーブルの構造を以って送信される。
【００５０】
ユーザ設定情報受信部１０３が受信する彩色に係る情報のデータテーブルの一例を図１１（ｂ）に示す。図１１（ｂ）において、モデルＩＤ１２２は組み立てキットの製品番号を特定するもので、本実施形態においては、製品番号１１１に相当する。彩色対象ＩＤ１２３は組み立てキットの彩色対象部位を特定するもので、本実施形態においては表示領域１１３〜１１７に表示された部位を特定している。
【００５１】
カラーＩＤ１２４は、カラープルダウンメニュー１１８を用いて設定され、パーツＩＤ１２３で特定された部位に対して付された色を特定するものである。本実施形態においては「３」に相当する色（例えば緑等）が設定されている。
【００５２】
パターンＩＤ１２５は、パターンプルダウンメニュー１１９を用いて設定され、パーツＩＤ１２３で特定された部位に対して付された模様を特定するものである。本実施形態においては「１」に相当する模様（例えば迷彩柄等）が設定されている。
【００５３】
フリーハンド情報１２６は、フリーハンドツールボックス１２０を用いて設定され、パーツＩＤ１２３で特定された部位に対して付された描画等を特定するものである。本実施形態においては、設定なしの状態である。
【００５４】
上記のような構造を有するデータテーブルをユーザ設定情報受信部１０３は受信する。そして、印刷情報出力部１０４は、このデータテーブルを含む印刷情報（印刷ジョブ）を生成し、印刷装置８３に出力し、印刷を要求する。印刷装置８３は印刷情報出力部１０４から受け取った情報を基に、上述した下地材料に対し印刷を行い、ユーザから要求された彩色を施した組み立てキットを提供する。
【００５５】
以上説明した組み立てキットの提供システムは、情報格納部１０２に格納された製造者の扱う組み立てキットの情報を用いて、Ｗｅｂページ提供部１０１によって、彩色を施されていない完成態様の形状の一部又は全部を表示する表示領域１１２〜１１７（画像表示領域）と、その完成態様の一部又は全部に対してユーザがユーザ端末８４を介して彩色の設定をすることが可能な例えばカラープルダウンメニュー１１８等の彩色設定領域と、を含むＷｅｂページ１１０をネットワークを介してユーザ端末８４の画面上に提供する。ユーザは提供されたＷｅｂページ１１０を用いて、彩色を設定して、その彩色に関する情報を製造者側のユーザ設定情報受信部１０３に送信して、製造者は受信したその情報を印刷情報出力部１０４から印刷装置８３に出力して、組み立てキットの下地材料に対して印刷を行う。このようなインターネットを介した組み立てキットの提供システムを構築すれば、ユーザの多様なニーズに個別に対応したプラモデル等の組み立てキットを提供することが可能となる。
【００５６】
なお、上記図１１（ａ）で示した画面例は一例であり、説明の簡略化のため、表示領域１１３〜１１７に正面画像、右側面画像、左側面画像、背面画像、上面画像を表示するように説明を行っているが、より詳細に表示した画像を表示させるようにしてもよい。その場合、ユーザはユーザ端末８４を用いてＷｅｂページ上でより詳細に彩色を施すことができるようになる。また、彩色の設定に用いるための選択領域であるカラープルダウンメニュー１１８等も一例であり、その表示態様や機能も限定されるものではない。例えば、予め色彩と模様とが組み合わされた複数の彩色のパターンをユーザが画面上で選択するようにしてもよい。
【００５７】
また、本実施形態においては、プラスチック成形原料から射出成形で成形されたプラモデルを例にとって説明したが、本発明の組み立てキットはプラモデルに限定されるものではない。例えば、成形原料として、ゴムを用いて射出成形したり、成形原料として、金属等の粉体を用いて圧縮成形したりして、本発明の組み立てキットを成形してもよい。即ち、本発明の組み立てキットは、ゴムから成形され、組み立てにより完成態様を得る人形模型や、金属材料から成形され、組み立てにより完成態様を得る簡易な構成のロボット様のキット、又はロボットの一部等においても好適に実施することができる。
【図面の簡単な説明】
【００５８】
【図１】本発明の実施形態に係る組み立てキットの下地材料を示す平面図である。
【図２】本発明の実施形態に係る組み立てキットの下地材料を示す側面断面図である。
【図３】本発明の実施形態に係る下地材料に印刷を行うインクジェットプリンタを示す図である。
【図４】本発明の実施形態に係る下地材料に印刷を行うインクジェットプリンタの印刷動作を説明するための図である。
【図５】本発明の実施形態に係る組み立てキットのパーツの一例を示す平面図である。
【図６】従来の下地材料に印刷を行うインクジェットプリンタの印刷動作を説明するための図である。
【図７】本発明の実施形態に係る組み立てキットを示す平面図である。
【図８】本発明の実施形態に係る組み立てキット提供システムのシステム構成例を示す図である。
【図９】本発明の実施形態に係る組み立てキット情報提供装置の内部構成を示す図である。
【図１０】本発明の実施形態に係る組み立てキット情報提供装置の機能構成を示す図である。
【図１１】本発明の実施形態に係る組み立てキット情報提供装置の提供する画面の一例及び画面上において設定されたユーザ設定情報の一例を示す図である。
【符号の説明】
【００５９】
１  下地材料
１ａ  枠体
１ｂ  枝体
２、３ａ、３ｂ、４  パーツ
５  インクジェットプリンタ
６  コンピュータ
７  可動部
８  インクジェットプリンタ本体
９  設置部
１０  ノズル
１１  インク
１１ａ  インク
１２  プラスチックモデル（プラモデル）
８１  ネットワーク
８２  組み立てキット情報提供装置
８３  印刷装置
８４  ユーザ端末
１０１  Ｗｅｂページ提供部
１０２  情報格納部
１０３  ユーザ設定情報受信部
１０４  印刷情報出力部
【図１】
2008043441.tif 000003
【図２】
2008043441.tif 000004
【図３】
2008043441.tif 000005
【図４】
2008043441.tif 000006
【図５】
2008043441.tif 000007
【図６】
2008043441.tif 000008
【図７】
2008043441.tif 000009
【図８】
2008043441.tif 000010
【図９】
2008043441.tif 000011
【図１０】
2008043441.tif 000012
【図１１】
2008043441.tif 000013